(57)【要約】【課題】ピークホールド回路において、ドループを抑制してピーク電圧を長時間保持できるドループ補正ピークホールド回路を提供すること。【解決手段】ピークホールド回路のホールドコンデンサＣ１は、一端をダイオードＤ１のカソードに接続し、他端をドループ補正回路２０に接続してある。ドループ補正回路２０は、ホールドコンデンサＣ２の保持電圧を、増幅回路Ａ３において極性を反転してホールドコンデンサＣ１に印加する。即ちドループ補正回路２０は、ホールドコンデンサＣ１にその保持電圧と逆極性のドループ補正電圧を印加する。ドループ補正電圧の印加によりホールドコンデンサＣ１のドループを長時間抑制できる。【選択図】図２
2010244610.tif 000002
【特許請求の範囲】
【請求項１】
入力信号のピーク電圧を保持するホールドコンデンサ（Ｃ１）を備えたピークホールド回路、ピークホールド回路のホールドコンデンサ（Ｃ１）の保持電圧と逆極性の電圧を発生するドループ補正回路（２０）を備え、ドループ補正回路（２０）をピークホールド回路のホールドコンデンサ（Ｃ１）の一端に接続してあることを特徴とするドループ補正ピークホールド回路。
【請求項２】
請求項１に記載のドループ補正ピークホールド回路において、前記ドループ補正回路（２０）は、入力信号の電圧を保持するホールドコンデンサ（Ｃ２）を備えたドループ補正ホールド回路を備えていることを特徴とするドループ補正ピークホールド回路。
【請求項３】
請求項２に記載のドループ補正ピークホールド回路において、前記ドループ補正回路（２０）は、前記ドループ補正ホールド回路のホールドコンデンサ（Ｃ２）の保持電圧の極性を反転する増幅回路（Ａ３）を備えていることを特徴とするドループ補正ピークホールド回路。
【請求項４】
請求項１、請求項２又は請求項３に記載のドループ補正ピークホールド回路において、前記ピークホールド回路及び前記ドループ補正ホールド回路は、入力側の増幅回路（ＯＡ１１，ＯＡ２１）と出力側増幅器（ＯＡ１２，ＯＡ２２）の間にダイオード（Ｄ１，Ｄ２）を接続し、そのダイオードのカソードにホールドコンデンサ（Ｃ１、Ｃ２）の他端を接続してあることを特徴とするドループ補正ピークホールド回路。
【発明の詳細な説明】
【技術分野】
【０００１】
本願発明は、入力信号のピーク電圧を所定時間保持するピークホールド回路に関し、特にホールドコンデンサに保持されている保持電圧のドループを補正するドループ補正ピークホールド回路に関する。
【背景技術】
【０００２】
従来多数のピークホールドが提案され、ピークホールド回路の使用目的に応じて種々の付加回路を備えたピークホールドも提案されているが（特許文献１，２，３参照）、いずれの回路も、基本的構成は、図４のピークホールド回路と同じである。
図４（ａ）において、ＯＡ１は、入力側の増幅回路（演算増幅回路）、Ｄ１は整流用のダイオード、Ｃ１は、ホールドコンデンサ、ＯＡ２は、出力側のインピーダンス変換用の増幅回路（演算増幅回路）である。増幅回路ＯＡ１と増幅回路ＯＡ２の間にダイオードＤ１を接続し、ダイオードＤ１のカソードにホールドコンデンサＣ１の一端を接続し、他端を接地してある。
入力端子ｉｎの入力信号は、ダイオードＤ１により整流されてホールドコンデンサＣ１に供給され、ホールドコンデンサＣ１を充電する。ホールドコンデンサＣ１の充電電圧は、図４（ｂ）のように、漸次上昇してピーク電圧ＶＣ１ｐに達し、そのピーク電圧は、ホールドコンデンサＣ１に保持される。ホールドコンデンサＣ１の保持電圧は、増幅回路ＯＡ２を介して出力端子ｏｕｔから渦電流探傷装置等の信号処理回路、信号比較回路等（図示せず）へ供給される。
【先行技術文献】
【特許文献】
【０００３】
【特許文献１】特開２００２−２８８９９０号公報
【特許文献２】特開２０００−１７１４９５号公報
【特許文献３】特開平１１−１９４１４２号公報
【発明の概要】
【発明が解決しようとする課題】
【０００４】
従来のピークホールド回路は、ホールドコンデンサＣ１や増幅回路ＯＡ２等のリークを避けられず、また出力側増幅回路ＯＡ２のインピーダンスの無限大化は困難であるため、ホールドコンデンサＣ１の充電電圧は、ピーク電圧ＶＣ１ｐに達した時点から放電が始まり、ホールドコンデンサＣ１の保持電圧は、図１（ｂ）の放電波形ＶＣ１のように時間とともに減少する。即ちいわゆるドループが生じる。したがってホールドコンデンサＣ１の保持電圧を、長時間ピーク電圧ＶＣ１ｐに保持することは困難である。そしてドループを抑制するには、ホールドコンデンサＣ１を大きくしなければならない。
本願発明は、ホールドコンデンサを大きくすることなくドループを抑制して、長時間（例えば２〜３分間）ピーク電圧を保持できるピークホールド回路を提供することを目的とする。
【課題を解決するための手段】
【０００５】
本願発明は、その目的を達成するため、請求項１に記載のドループ補正ピークホールド回路は、入力信号のピーク電圧を保持するホールドコンデンサ（Ｃ１）を備えたピークホールド回路、ピークホールド回路のホールドコンデンサ（Ｃ１）の保持電圧と逆極性の電圧を発生するドループ補正回路（２０）を備え、ドループ補正回路（２０）をピークホールド回路のホールドコンデンサ（Ｃ１）の一端に接続してあることを特徴とする。
請求項２に記載のドループ補正ピークホールド回路は、請求項１に記載のドループ補正ピークホールド回路において、前記ドループ補正回路（２０）は、入力信号の電圧を保持するホールドコンデンサ（Ｃ２）を備えたドループ補正ホールド回路を備えていることを特徴とする。
請求項３に記載のドループ補正ピークホールド回路は、請求項２に記載のドループ補正ピークホールド回路において、前記ドループ補正回路（２０）は、前記ドループ補正ホールド回路のホールドコンデンサ（Ｃ２）の保持電圧の極性を反転する増幅回路（Ａ３）を備えていることを特徴とする。
請求項４に記載のドループ補正ピークホールド回路は、請求項１、請求項２又は請求項３に記載のドループ補正ピークホールド回路において、前記ピークホールド回路及び前記ドループ補正ホールド回路は、入力側の増幅回路（ＯＡ１１，ＯＡ２１）と出力側増幅器（ＯＡ１２，ＯＡ２２）の間にダイオード（Ｄ１，Ｄ２）を接続し、そのダイオードのカソードにホールドコンデンサ（Ｃ１、Ｃ２）の他端を接続してあることを特徴とする。
【発明の効果】
【０００６】
本願発明は、ピークホールド回路のホールドコンデンサのドループを抑制できるから、小さなホールドコンデンサを用いて長時間ピーク電圧を保持できる。また本願発明は、ピークホールド回路のホールドコンデンサに、そのホールドコンデンサの保持電圧と逆極性の電圧を印加するだけでドループを抑制できるから、ドループを簡単に補正することができる。
本願発明のドループ補正回路は、ドループ補正ホールド回路に、ピークホールド回路と同じ構成の回路を用いることができるから回路構成が簡単になる。またドループ補正ホールド回路の保持電圧は、極性反転用の増幅回路を設けるだけで極性を反転できるから、ドループ補正回路は、ドループ補正電圧を簡単に発生することができる。
【図面の簡単な説明】
【０００７】
【図１】図１は、本願発明の実施例に係るドループ補正ピークホールド回路の基本的構成を示す。
【図２】図２は、本願発明の実施例に係るドループ補正ピークホールド回路の具体的構成を示す。
【図３】図３は、図２のドループ補正ピークホールド回路の動作を説明する図である。
【図４】図４は、従来のピークホールド回路の構成を示す。
【発明を実施するための形態】
【０００８】
図１〜図３により本願発明の実施例に係るドループ補正ピークホールド回路を説明する。
【実施例】
【０００９】
まず図１について説明する。
図１（ａ）は、ドループ補正ピークホールド回路の基本的構成を示し、図１（ｂ）は、ホールドコンデンサの保持電圧とドループ補正電圧の放電波形を示す。
図１（ａ）において、ドループ補正ピークホールド回路は、入力側の増幅回路（演算増幅回路）ＯＡ１１、整流用のダイオードＤ１、ホールドコンデンサＣ１、出力側の増幅回路（演算増幅回路）ＯＡ２、及びドループ補正回路２０を備え、増幅回路ＯＡ１１、ダイオードＤ１、ホールドコンデンサＣ１、増幅回路ＯＡ２は、ピークホールド回路を構成する。
【００１０】
増幅回路ＯＡ１１は、ダイオードＤ１の減衰を補償してダイオードＤ１の電位を０にする増幅回路であり、増幅回路ＯＡ１２は、増幅度１の高インピーダンス変換用の増幅回路である。ドループ補正回路２０は、ホールドコンデンサＣ１の保持電圧のドループを補正する回路で、ホールドコンデンサＣ１の保持電圧と逆極性の電圧をホールドコンデンサＣ１に印加する回路である。
ダイオードＤ１は、増幅回路ＯＡ１１と増幅回路ＯＡ１２の間に接続し、ホールドコンデンサＣ１は、一端をダイオードＤ１のカソードに接続し、他端をドループ補正回路２０に接続してある。即ち従来のピークホールド回路は、ホールドコンデンサの他端を接地してあるが、本実施例は、その他端をドループ補正回路２０に接続してある。
【００１１】
ホールドコンデンサＣ１は、入力端子ｉｎの入力信号（パルス信号）によって充電し、充電電圧は、図１（ｂ）のようにピーク電圧ＶＣ１ｐに達する。ホールドコンデンサＣ１は、従来のように一端を接地した場合、ホールドコンデンサＣ１の保持電圧（充電電圧）は、ピーク電圧ＶＣ１ｐに達した時点で放電を開始して放電波形ＶＣ１のように時間とともに減衰するが、ホールドコンデンサＣ１の他端にドループ補正回路２０を接続して、ピーク電圧ＶＣ１ｐと逆極性のドループ補正電圧（ピーク電圧ＶＣ２ｐ）を印加すると、ホールドコンデンサＣ１の保持電圧の放電開始を遅らすことができ、ピーク電圧ＶＣ１ｐの減衰を補正することができる。ドループ補正回路２０のドループ補正電圧は、ピーク電圧ＶＣ２ｐから時間とともに図１（ｂ）の放電波形ＶＣ２のように減衰するが、ホールドコンデンサＣ１は、ドループ補正電圧が０になるまでピーク電圧ＶＣ１ｐを保持することができる。
【００１２】
図２は、図１のドループ補正ピークホールド回路の具体例を示す。
増幅回路ＯＡ１１、ダイオードＤ１、ホールドコンデンサＣ１、増幅回路ＯＡ１２は、図１（ａ）と同じようにピークホールド回路を構成する。増幅回路ＯＡ２１、ダイオードＤ２、ホールドコンデンサＣ２、増幅回路ＯＡ２２は、ドループ補正ホールド回路を構成する。ホールドコンデンサＣ２の一端はダイオードＤ２のカソードに接続し、他端は接地してある。なおドループ補正ホールド回路の構成は、ピークホールド回路と同じである。増幅回路Ａ３は、増幅回路ＯＡ２２の出力電圧の極性を反転する増幅回路であり、増幅回路（演算増幅回路）ＯＡ３は、増幅回路ＯＡ２２と同じインピーダンス変換用の増幅回路である。そして増幅回路ＯＡ２１、ダイオードＤ２、ホールドコンデンサＣ２、増幅回路ＯＡ２２、増幅回路Ａ３、増幅回路ＯＡ３からなる回路は、図１（ａ）のドループ補正回路２０に相当する。Ｖ１は、電圧源で入力信号の信号源であり、Ｖ２，Ｖ３は、増幅回路ＯＡ１１，ＯＡ１２，ＯＡ２１，ＯＡ２２，ＯＡ３の電源である。３０は、絶対値回路で、プラス・マイナスに振れる入力信号をプラスにのみ振れる信号に変換する回路である。
【００１３】
電圧源Ｖ１の入力信号は、絶対値回路３０を介して増幅回路ＯＡ１１，ＯＡ２１へ供給され、ホールドコンデンサＣ１，Ｃ２を充電する。ホールドコンデンサＣ１の保持電圧は、増幅回路ＯＡ１２を介して出力端子ｏｕｔへ供給する。ホールドコンデンサＣ２の保持電圧は、増幅回路ＯＡ２２を介して増幅回路Ａ３へ供給される。増幅回路Ａ３は、その保持電圧の極性を反転して増幅回路ＯＡ３へ供給し、増幅回路ＯＡ３は、ホールドコンデンサＣ１へ印加する。即ちホールドコンデンサＣ１には、ドループ補正回路２０からホールドコンデンサＣ１の保持電圧と逆極性のドループ補正電圧が印加される。
【００１４】
図３は、図２のドループ補正ピークホールド回路の動作を説明する図である。
図３（ａ）は、図２のドループ補正ピークホールド回路の一部を取り出した回路図であり、図３（ｂ）は、図２のドループ補正ピークホールド回路の保持電圧の放電波形を示す。
図３（ｂ）において、ＶＣ１ｐは、ホールドコンデンサＣ１に保持されているピーク電圧、ＶＣ１は、その放電波形、ＶＣ２ｐは、ホールドコンデンサＣ２に保持されているピーク電圧、ＶＣ２は、その放電波形である。
ホールドコンデンサＣ２の充電電圧は、ピーク電圧ＶＣ２ｐに達した時点から放電を開始し、放電波形ＶＣ２のように減衰して時間ｔｃ２で０になる。一方ホールドコンデンサＣ１の充電電圧は、ピーク電圧ＶＣ１ｐに達した時点では、逆極性のホールドコンデンサＣ２の保持電圧ＶＣ２ｐが印加されているから、放電を開始しないが、ホールドコンデンサＣ２の保持電圧が０になる時間ｔｃ２から放電を開始し、放電波形ＶＣ１のように減衰して時間ｔｃ１で０になる。したがってホールドコンデンサＣ１は、時間０〜ｔｃ２の間ピーク電圧ＶＣ１ｐを保持することができる。即ち時間０〜ｔｃ２の間、ホールドコンデンサＣ１のドループを抑制することができる。
【符号の説明】
【００１５】
２０    ドループ補正回路
３０    絶対値回路
Ａ３  増幅回路
ＯＡ３，ＯＡ１１〜ＯＡ２２    増幅回路（演算増幅回路）
Ｖ１    電圧源（信号源）
Ｖ２，Ｖ３    電源
【図１】
2010244610.tif 000003
【図２】
2010244610.tif 000004
【図３】
2010244610.tif 000005
【図４】
2010244610.tif 000006